(57)【要約】【課題】廃スプリングマットレスを廃棄処分しようとする消費者等の排出者の負担を軽減しうる、廃スプリングマットレスの効率的な回収システム及び方法を提供する。【解決手段】排出者からの申込情報のうちの少なくとも一つに基づいて位置データベースを検索し、位置コードを取得する。この位置コードと販売店データベースとの照合により、販売店データベースに登録されている販売店群の中から前記排出者に最寄りの販売店を探索し、当該販売店を、該排出者から廃スプリングマットレスを回収する回収販売店として選出する。この回収販売店に前記排出者から廃スプリングマットレスを回収させるようにすることにより、排出者の負担を軽減する。また、生産工場から回収販売店へ新品のスプリングマットレスを出荷する運搬車両の復路を利用して、廃スプリングマットレスを運搬する。【選択図】        図８
2005122317.tif 000002
【特許請求の範囲】
【請求項１】
排出者の端末及び販売店群を構成する各販売店それぞれの端末にそれぞれ通信手段を介して接続されるとともに、少なくとも位置データベース、販売店データベース及び申込情報を管理する申込情報管理データベースを有するコンピュータシステムを用いた廃スプリングマットレスの回収システムであって、
前記コンピュータシステムは、
廃スプリングマットレス回収の申込情報を前記排出者の端末から受信する申込受信手段と、
前記申込情報を前記申込情報管理データベースに登録する申込情報登録手段と、
前記申込情報管理データベースに登録された前記申込情報のうちの少なくとも一つの情報を読み出すとともに、該情報に基づいて前記位置データベースを検索して、位置コードを取得する位置コード取得手段と、
前記位置コードと前記販売店データベースとの照合により該販売店データベースに登録されている前記販売店群の中から前記排出者に最寄りの販売店を探索し、当該販売店を、該排出者から廃スプリングマットレスを回収する回収販売店として選出する回収販売店選出手段と、
前記排出者から廃スプリングマットレスを回収する旨の回収指示を、前記申込情報と共に、前記回収販売店の端末に送信する回収指示送信手段と、
を備えることを特徴とする廃スプリングマットレスの回収システム。
【請求項２】
前記位置データベースは、前記申込情報のうちの少なくとも郵便番号を位置座標コードに対応付けた郵便番号テーブルにより構築されていることを特徴とする請求項１記載の廃スプリングマットレスの回収システム。
【請求項３】
前記販売店データベースは、前記販売店群を構成する各販売店の少なくとも名称、住所、位置座標及びＥ−メールアドレスを販売店コードに対応付けた販売店テーブルにより構築されていることを特徴とする請求項１又は２記載の廃スプリングマットレスの回収システム。
【請求項４】
前記コンピュータシステムは、配送業者の端末にも接続されるとともにリサイクルセンタに設置され、かつ、
回収した廃スプリングマットレスの運搬依頼情報を前記回収販売店の端末から受信する運搬依頼受信手段と、
前記回収販売店が回収した廃スプリングマットレスを該回収販売店から前記リサイクルセンタへ運搬する旨の運搬指示を、前記配送業者の端末に送信する運搬指示送信手段と、をさらに備えることを特徴とする請求項１、２又は３記載の廃スプリングマットレスの回収システム。
【請求項５】
前記リサイクルセンタはスプリングマットレスを生産する生産工場を備え、かつ、前記コンピュータシステムは、前記回収販売店の運搬依頼情報を管理する運搬依頼管理データベースと、該生産工場から前記販売店群を構成する各販売店へ新品のスプリングマットレスを出荷する出荷情報を管理する出荷管理データベースとをさらに有するとともに、前記運搬依頼情報を販売店コードに関連付けて該運搬依頼管理データベースに登録する運搬依頼情報登録手段をさらに備え、
前記運搬依頼管理データベースに登録された前記運搬依頼情報のうちの少なくとも一つの情報及び前記販売店コードを読み出すとともに前記出荷管理データベースの出荷情報と照合することにより、新品のスプリングマットレスを前記生産工場から前記運搬依頼のあった前記回収販売店に運搬する運搬車両が廃スプリングマットレスを該回収販売店から前記リサイクルセンタへ運搬することになるように、前記運搬指示が決定されることを特徴とする請求項４記載の廃スプリングマットレスの回収システム。
【請求項６】
前記出荷管理データベースは、少なくとも出荷先及び出荷予定日を前記販売店コードに対応付けた出荷情報テーブルにより構築されていることを特徴とする請求項５記載の廃スプリングマットレスの回収システム。
【請求項７】
販売店群を構成する各販売店それぞれの端末及び配送業者の端末にそれぞれ通信手段を介して接続されるとともに、該販売店群のうちの一つの販売店であって排出者から廃スプリングマットレスを回収した回収販売店からの運搬依頼情報を管理する運搬依頼管理データベースと、生産工場から該販売店群を構成する各販売店へ新品のスプリングマットレスを出荷する出荷情報を管理する出荷管理データベースとを少なくとも有し、該生産工場を備えたリサイクルセンタに設置されたコンピュータシステムを用いた廃スプリングマットレスの回収システムであって、
前記コンピュータシステムは、
回収した廃スプリングマットレスの運搬依頼情報を前記回収販売店の端末から受信する運搬依頼受信手段と、
前記運搬依頼情報を販売店コードに関連付けて前記運搬依頼管理データベースに登録する運搬依頼情報登録手段と、
前記運搬依頼管理データベースに登録された前記運搬依頼情報のうちの少なくとも一つの情報及び前記販売店コードを読み出すとともに前記出荷管理データベースの出荷情報と照合することにより、新品のスプリングマットレスを前記生産工場から前記運搬依頼のあった前記回収販売店に運搬する運搬車両が廃スプリングマットレスを該回収販売店から前記リサイクルセンタへ運搬することになるように、運搬指示を決定する運搬指示決定手段と、
前記回収販売店が回収した廃スプリングマットレスを該回収販売店から前記リサイクルセンタへ運搬する旨の前記運搬指示を、前記配送業者の端末に送信する運搬指示送信手段と、
を備えることを特徴とする廃スプリングマットレスの回収システム。
【請求項８】
前記出荷管理データベースは、少なくとも出荷先及び出荷予定日を前記販売店コードに対応付けた出荷情報テーブルにより構築されていることを特徴とする請求項７記載の廃スプリングマットレスの回収システム。
【請求項９】
排出者の端末及び販売店群を構成する各販売店それぞれの端末にそれぞれ通信手段を介して接続されるとともに、少なくとも位置データベース、販売店データベース及び申込情報を管理する申込情報管理データベースを有するコンピュータシステムを用いた廃スプリングマットレスの回収方法であって、
前記コンピュータシステムが、廃スプリングマットレス回収の申込情報を前記排出者の端末から受信したことに応じて、
前記申込情報を前記申込情報管理データベースに登録するステップと、
前記申込情報管理データベースに登録された前記申込情報のうちの少なくとも一つの情報を読み出すとともに、該情報に基づいて前記位置データベースを検索して、位置コードを取得するステップと、
前記位置コードと前記販売店データベースとの照合により該販売店データベースに登録されている前記販売店群の中から前記排出者に最寄りの販売店を探索し、当該販売店を、該排出者から廃スプリングマットレスを回収する回収販売店として選出するステップと、
前記排出者から廃スプリングマットレスを回収する旨の回収指示を、前記申込情報と共に、前記回収販売店の端末に送信するステップと、
を実行することを特徴とする廃スプリングマットレスの回収方法。
【請求項１０】
前記コンピュータシステムは、配送業者の端末にも接続されるとともに、リサイクルセンタに設置され、
前記コンピュータシステムが、回収した廃スプリングマットレスの運搬依頼情報を前記回収販売店の端末から受信したことに応じて、
前記回収販売店が回収した廃スプリングマットレスを該回収販売店から前記リサイクルセンタへ運搬する旨の運搬指示を、前記配送業者の端末に送信するステップを実行することを特徴とする請求項９記載の廃スプリングマットレスの回収方法。
【請求項１１】
前記リサイクルセンタはスプリングマットレスを生産する生産工場を備え、かつ、前記コンピュータシステムは、前記運搬依頼情報を管理する運搬依頼管理データベースと、該生産工場から前記販売店群を構成する各販売店へ新品のスプリングマットレスを出荷する出荷情報を管理する出荷管理データベースとをさらに有し、
前記コンピュータシステムが、
前記運搬依頼情報を販売店コードに関連付けて前記運搬依頼管理データベースに登録するステップと、
前記運搬依頼管理データベースに登録された前記運搬依頼情報のうちの少なくとも一つの情報及び前記販売店コードを読み出すとともに前記出荷管理データベースの出荷情報と照合することにより、新品のスプリングマットレスを前記生産工場から前記運搬依頼のあった前記回収販売店に運搬する運搬車両が廃スプリングマットレスを該回収販売店から前記リサイクルセンタへ運搬することになるように、前記運搬指示を決定するステップと、
を実施することを特徴とする請求項１０記載の廃スプリングマットレスの回収方法。
【請求項１２】
販売店群を構成する各販売店それぞれの端末及び配送業者の端末にそれぞれ通信手段を介して接続されるとともに、該販売店群のうちの一つの販売店であって排出者から廃スプリングマットレスを回収した回収販売店からの運搬依頼情報を管理する運搬依頼管理データベースと、生産工場から該販売店群を構成する各販売店へ新品のスプリングマットレスを出荷する出荷情報を管理する出荷管理データベースとを少なくとも有し、該生産工場を備えたリサイクルセンタに設置されたコンピュータシステムを用いた廃スプリングマットレスの回収方法であって、
前記コンピュータシステムが、回収した廃スプリングマットレスの運搬依頼情報を前記回収販売店の端末から受信したことに応じて、
前記運搬依頼情報を販売店コードに関連付けて前記運搬依頼管理データベースに登録するステップと、
前記運搬依頼管理データベースに登録された前記運搬依頼情報のうちの少なくとも一つの情報及び前記販売店コードを読み出すとともに前記出荷管理データベースの出荷情報と照合することにより、新品のスプリングマットレスを前記生産工場から前記運搬依頼のあった前記回収販売店に運搬する運搬車両が廃スプリングマットレスを該回収販売店から前記リサイクルセンタへ運搬することになるように、運搬指示を決定するステップと、
前記回収販売店が回収した廃スプリングマットレスを該回収販売店から前記リサイクルセンタへ運搬する旨の前記運搬指示を、前記配送業者の端末に送信するステップと、
を実行することを特徴とする廃スプリングマットレスの回収方法。
【請求項１３】
少なくとも位置データベース、販売店データベース及び申込情報を管理する申込情報管理データベースを有し、廃スプリングマットレスの回収システムに用いられるコンピュータシステムであって、
排出者からの廃スプリングマットレス回収の申込情報を前記申込情報管理データベースに登録する申込情報登録手段と、
前記申込情報管理データベースに登録された前記申込情報のうちの少なくとも一つの情報を読み出すとともに、該情報に基づいて前記位置データベースを検索して、位置コードを取得する位置コード取得手段と、
前記位置コードと前記販売店データベースとの照合により該販売店データベースに登録されている前記販売店群の中から前記排出者に最寄りの販売店を探索し、当該販売店を、該排出者から廃スプリングマットレスを回収する回収販売店として選出する回収販売店選出手段と、
を備えることを特徴とするコンピュータシステム。
【請求項１４】
販売店群のうちの一つの販売店であって排出者から廃スプリングマットレスを回収した回収販売店からの運搬依頼情報を管理する運搬依頼管理データベースと、生産工場から該販売店群を構成する各販売店へ新品のスプリングマットレスを出荷する出荷情報を管理する出荷管理データベースとを少なくとも有し、該生産工場を備えたリサイクルセンタに設置されて廃スプリングマットレスの回収システムに用いられるコンピュータシステムであって、
回収した廃スプリングマットレスの運搬依頼情報を販売店コードに関連付けて前記運搬依頼管理データベースに登録する運搬依頼情報登録手段と、
前記運搬依頼管理データベースに登録された前記運搬依頼情報のうちの少なくとも一つの情報及び前記販売店コードを読み出すとともに前記出荷管理データベースの出荷情報と照合することにより、新品のスプリングマットレスを前記生産工場から前記運搬依頼のあった前記回収販売店に運搬する運搬車両が廃スプリングマットレスを該回収販売店から前記リサイクルセンタへ運搬することになるように、運搬指示を決定する運搬指示決定手段と、
を備えることを特徴とするコンピュータシステム。
【発明の詳細な説明】
【技術分野】
【０００１】
本発明は、廃スプリングマットレスのリサイクルのための回収システム及び方法に関する。
【背景技術】
【０００２】
近年、廃棄物としてのスプリングマットレスの処理が大きな社会問題となりつつある。
【０００３】
一方、平成３年の廃棄物処理法の改正により適正処理困難物（指定一般廃棄物）制度が創設され、平成６年には、適正処理困難物として、廃大型テレビや廃大型冷蔵庫等とともに廃スプリングマットレスが指定されている。このため、市町村等は、廃スプリングマットレスの処理について、製造・販売業者等の協力を求めることができるようになっている。
【０００４】
こうした背景の下、ベッド業界でも、回収やリサイクルを含めた廃スプリングマットレスの処理について、関心が高まっている。
【０００５】
なお、後述するように廃スプリングマットレスの回収システムは未だ確立されておらず、これを記載した文献もないため、記載すべき先行技術文献情報はない。
【発明の開示】
【発明が解決しようとする課題】
【０００６】
しかしながら、廃スプリングマットレスをリサイクルのために回収するようなシステムは、未だ確立されていない。
【０００７】
このため、廃スプリングマットレスを排出して廃棄処分しようとする消費者等の排出者は、通常、自治体を介して廃スプリングマットレスを廃棄処分している。このとき、排出者は、廃スプリングマットレスをコイルスプリング部分とマットレス部分とに分離した状態で廃棄することが要求される場合もありうる。
【０００８】
しかし、廃スプリングマットレスは、一般に、鋼鉄製のスプリングコイル部分とウレタンフォーム等のマットレス部分とが金属リング等により結合された構造をなしている。このため、廃スプリングマットレスを分解することは排出者にとって極めて面倒、かつ、困難である。
【０００９】
また、排出者自らが廃スプリングマットレスをそのまま自治体に運搬して回収してもらう場合もありうるが、廃スプリングマットレスは大型で重いため、運搬も容易ではない。
【００１０】
一方、運送業者等にスプリングマットレスの運送を依頼する場合は、排出者は運送料を運送業者等に支払わなければならない。
【００１１】
このように、廃スプリングマットレスの廃棄処分は、排出者にとって大きな負担となっている。
【００１２】
本発明は上記実情に鑑みてなされたものであり、廃スプリングマットレスを廃棄処分しようとする消費者等の排出者の負担を軽減しうる、廃スプリングマットレスの効率的な回収システム及び方法を提供することを解決すべき技術課題とするものである。
【課題を解決するための手段】
【００１３】
上記課題を解決する請求項１記載の廃スプリングマットレスの回収システムは、排出者の端末及び販売店群を構成する各販売店それぞれの端末にそれぞれ通信手段を介して接続されるとともに、少なくとも位置データベース、販売店データベース及び申込情報を管理する申込情報管理データベースを有するコンピュータシステムを用いた廃スプリングマットレスの回収システムであって、前記コンピュータシステムは、廃スプリングマットレス回収の申込情報を前記排出者の端末から受信する申込受信手段と、前記申込情報を前記申込情報管理データベースに登録する申込情報登録手段と、前記申込情報管理データベースに登録された前記申込情報のうちの少なくとも一つの情報を読み出すとともに、該情報に基づいて前記位置データベースを検索して、位置コードを取得する位置コード取得手段と、前記位置コードと前記販売店データベースとの照合により該販売店データベースに登録されている前記販売店群の中から前記排出者に最寄りの販売店を探索し、当該販売店を、該排出者から廃スプリングマットレスを回収する回収販売店として選出する回収販売店選出手段と、前記排出者から廃スプリングマットレスを回収する旨の回収指示を、前記申込情報と共に、前記回収販売店の端末に送信する回収指示送信手段と、を備えることを特徴とするものである。
【００１４】
この廃スプリングマットレスの回収システムでは、排出者の端末及び販売店の端末にそれぞれ通信手段を介して接続されたコンピュータシステムが、排出者の申込情報のうちの少なくとも一つの情報に基づいて位置コードを取得するとともに、この位置コードに基づいて排出者に最寄りの販売店を探索し、当該販売店を回収販売店として選出する。そして、前記コンピュータシステムは、この排出者に最寄りの回収販売店に対して、排出者から廃スプリングマットレスを回収する旨の回収指示を、排出者の申込情報と共に送信する。これにより、排出者に最寄りの回収販売店が、排出者から廃スプリングマットレスを回収することができる。
【００１５】
このため、廃スプリングマットレスを廃棄しようとする排出者は、自己の端末から廃スプリングマットレスの回収申込をするだけで、回収販売店に廃スプリングマットレスを回収してもらうことができる。また、この回収販売店は排出者に最寄りの販売店であるので、遠くの販売店が回収に来る場合と比較して、時間やコストの低減を図ることができる。したがって、廃スプリングマットレスを廃棄しようとする排出者の負担を軽減することが可能となる。また、廃スプリングマットレスの効率的な回収が可能となる。
【００１６】
好適な態様において、前記位置データベースは、前記申込情報のうちの少なくとも郵便番号を位置座標コードに対応付けた郵便番号テーブルにより構築されている。
【００１７】
この態様によれば、申込情報のうちの郵便番号に対応する位置座標コードを容易に取得することができる。
【００１８】
好適な態様において、前記販売店データベースは、前記販売店群を構成する各販売店の少なくとも名称、住所、位置座標及びＥ−メールアドレスを販売店コードに対応付けた販売店テーブルにより構築されている。
【００１９】
この態様によれば、申込情報から取得された位置座標コードと販売店テーブルとの照合により、当該位置座標コードの位置座標に最も近い位置座標をもつ販売店、すなわち排出者に最寄りの販売店を容易に探索することができる。また、こうして探索された最寄りの販売店、すなわち回収販売店に回収指示等を送信する際に、この販売店データベース中の各家具店のＥ−メールアドレス等を利用することができる。
【００２０】
好適な態様において、前記コンピュータシステムは、配送業者の端末にも接続されるとともにリサイクルセンタに設置され、かつ、回収した廃スプリングマットレスの運搬依頼情報を前記回収販売店の端末から受信する運搬依頼受信手段と、前記回収販売店が回収した廃スプリングマットレスを該回収販売店から前記リサイクルセンタへ運搬する旨の運搬指示を、前記配送業者の端末に送信する運搬指示送信手段と、をさらに備える。
【００２１】
この態様によれば、回収販売店が排出者から回収した廃スプリングマットレスを、該回収販売店からリサイクルセンタへ、配送業者に運搬させることができる。このため、回収した廃スプリングマットレスをリサイクル処理することが可能となる。
【００２２】
好適な態様において、前記リサイクルセンタはスプリングマットレスを生産する生産工場を備え、かつ、前記コンピュータシステムは、前記回収販売店の運搬依頼情報を管理する運搬依頼管理データベースと、該生産工場から前記販売店群を構成する各販売店へ新品のスプリングマットレスを出荷する出荷情報を管理する出荷管理データベースとをさらに有するとともに、前記運搬依頼情報を販売店コードに関連付けて該運搬依頼管理データベースに登録する運搬依頼情報登録手段をさらに備え、前記運搬依頼管理データベースに登録された前記運搬依頼情報のうちの少なくとも一つの情報及び前記販売店コードを読み出すとともに前記出荷管理データベースの出荷情報と照合することにより、新品のスプリングマットレスを前記生産工場から前記運搬依頼のあった前記回収販売店に運搬する運搬車両が廃スプリングマットレスを該回収販売店から前記リサイクルセンタへ運搬することになるように、前記運搬指示が決定される。
【００２３】
この態様によれば、新品のスプリングマットレスを生産工場から出荷する運搬車両の復路を利用して廃スプリングマットレスを回収することができる。このため、生産工場から回収販売店に新品のスプリングマットレスを運搬する運搬車両の荷台が復路で空になるという無駄を回避することができ、物流コストの低減に寄与しうる。したがって、廃スプリングマットレスを廃棄しようとする排出者の負担を軽減することが可能となる。また、廃スプリングマットレスのリサイクル処理を生産工場で行うことができるので、リサイクル処理の効率化を期待できる。
【００２４】
好適な態様において、前記出荷管理データベースは、少なくとも出荷先及び出荷予定日を前記販売店コードに対応付けた出荷情報テーブルにより構築されている。
【００２５】
上記課題を解決する請求項７記載の廃スプリングマットレスの回収システムは、販売店群を構成する各販売店それぞれの端末及び配送業者の端末にそれぞれ通信手段を介して接続されるとともに、該販売店群のうちの一つの販売店であって排出者から廃スプリングマットレスを回収した回収販売店からの運搬依頼情報を管理する運搬依頼管理データベースと、生産工場から該販売店群を構成する各販売店へ新品のスプリングマットレスを出荷する出荷情報を管理する出荷管理データベースとを少なくとも有し、該生産工場を備えたリサイクルセンタに設置されたコンピュータシステムを用いた廃スプリングマットレスの回収システムであって、前記コンピュータシステムは、回収した廃スプリングマットレスの運搬依頼情報を前記回収販売店の端末から受信する運搬依頼受信手段と、前記運搬依頼情報を販売店コードに関連付けて前記運搬依頼管理データベースに登録する運搬依頼情報登録手段と、前記運搬依頼管理データベースに登録された前記運搬依頼情報のうちの少なくとも一つの情報及び前記販売店コードを読み出すとともに前記出荷管理データベースの出荷情報と照合することにより、新品のスプリングマットレスを前記生産工場から前記運搬依頼のあった前記回収販売店に運搬する運搬車両が廃スプリングマットレスを該回収販売店から前記リサイクルセンタへ運搬することになるように、運搬指示を決定する運搬指示決定手段と、前記回収販売店が回収した廃スプリングマットレスを該回収販売店から前記リサイクルセンタへ運搬する旨の前記運搬指示を、前記配送業者の端末に送信する運搬指示送信手段と、を備えることを特徴とするものである。
【００２６】
この廃スプリングマットレスの回収システムでは、回収販売店が排出者から回収した廃スプリングマットレスを、該回収販売店からリサイクルセンタへ、配送業者に運搬させることができる。このため、回収した廃スプリングマットレスをリサイクル処理することが可能となる。また、このリサイクルセンタは新品のスプリングマットレスを生産する生産工場を備えているので、廃スプリングマットレスのリサイクル処理を生産工場で行うことができ、リサイクル処理の効率化を期待できる。
【００２７】
また、新品のスプリングマットレスを生産工場から出荷する運搬車両の復路を利用して廃スプリングマットレスを回収することができる。このため、生産工場から回収販売店に新品のスプリングマットレスを運搬する運搬車両の荷台が復路で空になるという無駄を回避することができ、物流コストの低減に寄与しうる。したがって、廃スプリングマットレスを廃棄しようとする排出者の負担を軽減することが可能となる。
【００２８】
好適な態様において、前記出荷管理データベースは、少なくとも出荷先及び出荷予定日を前記販売店コードに対応付けた出荷情報テーブルにより構築されている。
【００２９】
上記課題を解決する請求項９記載の廃スプリングマットレスの回収方法は、排出者の端末及び販売店群を構成する各販売店それぞれの端末にそれぞれ通信手段を介して接続されるとともに、少なくとも位置データベース、販売店データベース及び申込情報を管理する申込情報管理データベースを有するコンピュータシステムを用いた廃スプリングマットレスの回収方法であって、前記コンピュータシステムが、廃スプリングマットレス回収の申込情報を前記排出者の端末から受信したことに応じて、前記申込情報を前記申込情報管理データベースに登録するステップと、前記申込情報管理データベースに登録された前記申込情報のうちの少なくとも一つの情報を読み出すとともに、該情報に基づいて前記位置データベースを検索して、位置コードを取得するステップと、前記位置コードと前記販売店データベースとの照合により該販売店データベースに登録されている前記販売店群の中から前記排出者に最寄りの販売店を探索し、当該販売店を、該排出者から廃スプリングマットレスを回収する回収販売店として選出するステップと、前記排出者から廃スプリングマットレスを回収する旨の回収指示を、前記申込情報と共に、前記回収販売店の端末に送信するステップと、を実行することを特徴とするものである。
【００３０】
好適な態様において、前記コンピュータシステムは、配送業者の端末にも接続されるとともに、リサイクルセンタに設置され、前記コンピュータシステムが、回収した廃スプリングマットレスの運搬依頼情報を前記回収販売店の端末から受信したことに応じて、前記回収販売店が回収した廃スプリングマットレスを該回収販売店から前記リサイクルセンタへ運搬する旨の運搬指示を、前記配送業者の端末に送信するステップを実行する。
【００３１】
好適な態様において、前記リサイクルセンタはスプリングマットレスを生産する生産工場を備え、かつ、前記コンピュータシステムは、前記運搬依頼情報を管理する運搬依頼管理データベースと、該生産工場から前記販売店群を構成する各販売店へ新品のスプリングマットレスを出荷する出荷情報を管理する出荷管理データベースとをさらに有し、前記コンピュータシステムが、前記運搬依頼情報を販売店コードに関連付けて前記運搬依頼管理データベースに登録するステップと、前記運搬依頼管理データベースに登録された前記運搬依頼情報のうちの少なくとも一つの情報及び前記販売店コードを読み出すとともに前記出荷管理データベースの出荷情報と照合することにより、新品のスプリングマットレスを前記生産工場から前記運搬依頼のあった前記回収販売店に運搬する運搬車両が廃スプリングマットレスを該回収販売店から前記リサイクルセンタへ運搬することになるように、前記運搬指示を決定するステップと、を実施する。
【００３２】
上記課題を解決する請求項１２記載の廃スプリングマットレスの回収方法は、販売店群を構成する各販売店それぞれの端末及び配送業者の端末にそれぞれ通信手段を介して接続されるとともに、該販売店群のうちの一つの販売店であって排出者から廃スプリングマットレスを回収した回収販売店からの運搬依頼情報を管理する運搬依頼管理データベースと、生産工場から該販売店群を構成する各販売店へ新品のスプリングマットレスを出荷する出荷情報を管理する出荷管理データベースとを少なくとも有し、該生産工場を備えたリサイクルセンタに設置されたコンピュータシステムを用いた廃スプリングマットレスの回収方法であって、前記コンピュータシステムが、回収した廃スプリングマットレスの運搬依頼情報を前記回収販売店の端末から受信したことに応じて、前記運搬依頼情報を販売店コードに関連付けて前記運搬依頼管理データベースに登録するステップと、前記運搬依頼管理データベースに登録された前記運搬依頼情報のうちの少なくとも一つの情報及び前記販売店コードを読み出すとともに前記出荷管理データベースの出荷情報と照合することにより、新品のスプリングマットレスを前記生産工場から前記運搬依頼のあった前記回収販売店に運搬する運搬車両が廃スプリングマットレスを該回収販売店から前記リサイクルセンタへ運搬することになるように、運搬指示を決定するステップと、前記回収販売店が回収した廃スプリングマットレスを該回収販売店から前記リサイクルセンタへ運搬する旨の前記運搬指示を、前記配送業者の端末に送信するステップと、を実行することを特徴とするものである。
【００３３】
請求項１３に記載のコンピュータシステムは、少なくとも位置データベース、販売店データベース及び申込情報を管理する申込情報管理データベースを有し、廃スプリングマットレスの回収システムに用いられるコンピュータシステムであって、排出者からの廃スプリングマットレス回収の申込情報を前記申込情報管理データベースに登録する申込情報登録手段と、前記申込情報管理データベースに登録された前記申込情報のうちの少なくとも一つの情報を読み出すとともに、該情報に基づいて前記位置データベースを検索して、位置コードを取得する位置コード取得手段と、前記位置コードと前記販売店データベースとの照合により該販売店データベースに登録されている前記販売店群の中から前記排出者に最寄りの販売店を探索し、当該販売店を、該排出者から廃スプリングマットレスを回収する回収販売店として選出する回収販売店選出手段と、を備えることを特徴とするものである。
【００３４】
請求項１４に記載のコンピュータシステムは、販売店群のうちの一つの販売店であって排出者から廃スプリングマットレスを回収した回収販売店からの運搬依頼情報を管理する運搬依頼管理データベースと、生産工場から該販売店群を構成する各販売店へ新品のスプリングマットレスを出荷する出荷情報を管理する出荷管理データベースとを少なくとも有し、該生産工場を備えたリサイクルセンタに設置されて廃スプリングマットレスの回収システムに用いられるコンピュータシステムであって、回収した廃スプリングマットレスの運搬依頼情報を販売店コードに関連付けて前記運搬依頼管理データベースに登録する運搬依頼情報登録手段と、前記運搬依頼管理データベースに登録された前記運搬依頼情報のうちの少なくとも一つの情報及び前記販売店コードを読み出すとともに前記出荷管理データベースの出荷情報と照合することにより、新品のスプリングマットレスを前記生産工場から前記運搬依頼のあった前記回収販売店に運搬する運搬車両が廃スプリングマットレスを該回収販売店から前記リサイクルセンタへ運搬することになるように、運搬指示を決定する運搬指示決定手段と、を備えることを特徴とするものである。
【発明を実施するための最良の形態】
【００３５】
以下、本発明の廃スプリングマットレスの回収システム及び方法についての実施形態を、図面を参照しつつ具体的に説明する。
【００３６】
図１は、本発明の実施形態の一つにおける廃スプリングマットレスの回収システムを概略的に示す全体構成図である。この回収システムは、回収した廃スプリングマットレスをリサイクル処理するリサイクルセンタＲＣに設置されたコンピュータシステムとしてのマスタサーバ１と、廃スプリングマットレスを排出する排出者Ｈが操作する端末としての排出者ＰＣ（パーソナルコンピュータ。以下、同様）２と、販売店群Ｋを構成する各販売店Ｋａ〜Ｋｃにそれぞれ設置される端末としての販売店ＰＣ３Ａ、３Ｂ、３Ｃと、配送業者Ｕに設置される端末としての配送業者ＰＣ４とから構成されている。
【００３７】
ここに、前記リサイクルセンタＲＣは、廃スプリングマットレスをリサイクル処理するリサイクル処理部とともに、新品のスプリングマットレスを生産する生産工場Ｓを備えている。そして、本実施形態に係る回収システムは、このリサイクルセンタＲＣの在る地域Ａ（この地域Ａに近隣する地域も含む。以下、同様））に住んでいる排出者Ｈが廃棄処分しようとする廃スプリングマットレスＭを回収するためのシステムである。このため、前記排出者Ｈとは、この地域Ａの住民であって、廃スプリングマットレスを排出して廃棄処分しようとする者（主に一般消費者を対象とするが、企業等の事業者を特には排除しない。）のことである。また、前記販売店群Ｋは、前記地域Ａに店舗を構える家具店等の複数の販売店Ｋａ〜Ｋｃにより構成されている。さらに、前記配送業者Ｕについても、前記地域Ａに運搬車両の車庫等をもつ事業者等であることが望ましい。なお、前記地域Ａの範囲は限定されない。
【００３８】
これらマスタサーバ１、排出者ＰＣ２、販売店ＰＣ３Ａ、３Ｂ、３Ｃ及び配送業者ＰＣ４は、それぞれがネットワーク５に接続されている。ネットワーク５としては、ローカルエリアネットワーク、ワイドエリアネットワークや一般の電話網等を用いることができる。本実施形態では、ネットワーク５は、ネットワークが相互に接続されたインターネットとしている。
【００３９】
なお、各前記排出者ＰＣ２、販売店ＰＣ３Ａ、３Ｂ、３Ｃ及び配送業者ＰＣ４は、それぞれＣＰＵ（中央演算装置）、ＣＲＴやＬＣＤ等の表示部、キーボードやマウス等の入力部、ＲＡＭ（ランダムアクセスメモリ）やハードディスク等の記憶部、ＣＤ−ＲＯＭドライブ等の外部記憶部及び通信回路制御部等を有し、上記ネットワーク（インターネット）５に電話回線等を経由して接続されている。また、図１では説明の便宜上、１台の排出者ＰＣを示したが、廃スプリングマットレスを排出して廃棄処分しようとする者の数だけ存在しうる。同様に、図１では説明の便宜上、３台の販売店ＰＣ３Ａ、３Ｂ、３Ｃを示したが、前記販売店群を構成する販売店の数は特に限定されないので、販売店ＰＣの台数も３台に限定されない。さらに、複数の配送業者を使ってこの回収システムを実施してもよいため、前記配送業者ＰＣ４の台数も１台に限られず、この回収システムに使う配送業者の数に応じて変更可能である。
【００４０】
コンピュータシステムとしてのマスタサーバ１は、ＣＰＵ、表示部、入力部、記憶部、外部記憶部及び通信回路制御部等を有するパーソナルコンピュータやワークステーション等で構成することができる。このマスタサーバ１は、その構成を示すブロック図が図２に示されるように、制御手段１０と、受信制御手段１１と、送信制御手段１２と、複数の記憶手段１３〜１８とから構成されている。
【００４１】
制御手段１０は、ＣＰＵ（中央演算装置）よりなり、以下の各手段１０ａ〜１０ｆ及び１１〜１９の制御、データの登録や転送、種々の演算や検索等を行うように構成されている。この制御手段１０は、申込情報登録手段１０ａと、位置コード取得手段１０ｂと、回収販売店選出手段１０ｃと、運搬依頼情報登録手段１０ｄと、出荷情報登録手段１０ｅと、運搬指示決定手段１０ｆとを備えている。申込情報登録手段１０ａは、廃スプリングマットレスを排出して廃棄処分しようとする排出者Ｈからの申込情報ＪＨを後述する申込情報管理データベースＤ１に登録するものである。位置コード取得手段１０ｂは、申込情報管理データベースＤ１に登録された前記申込情報ＪＨのうちの少なくとも一つの情報ＪＨ１を読み出すとともに、該情報ＪＨ１に基づいて後述する位置データベースＤ２を検索して、位置コードを取得するものである。回収販売店選出手段１０ｃは、前記位置コードと後述する販売店データベースＤ３との照合により該販売店データベースＤ３に予め登録されている前記販売店群Ｋの中から前記排出者Ｈに最寄りの販売店を探索し、当該販売店を、該排出者Ｈから廃スプリングマットレスを回収する回収販売店ＫＫとして選出するものである。運搬依頼情報登録手段１０ｄは、運搬依頼情報ＪＵを販売店コードに関連付けて後述する運搬依頼管理データベースＤ４に登録するものである。出荷情報登録手段１０ｅは、後述する出荷管理データベースＤ５に出荷情報ＪＳを登録するものである。運搬指示決定手段１０ｆは、運搬依頼管理データベースＤ４に登録された前記運搬依頼情報ＪＵのうちの少なくとも一つの情報ＪＵ１及び前記販売店コードを読み出すとともに出荷管理データベースＤ５に登録された出荷情報ＪＳと照合することにより、新品のスプリングマットレスを前記生産工場Ｓから前記運搬依頼のあった前記回収販売店ＫＫに運搬する運搬車両が廃スプリングマットレスを該回収販売店ＫＫから前記リサイクルセンタＲＣへ運搬することになるように、運搬指示を決定するものである。
【００４２】
受信制御手段１１は、ネットワーク５を介して接続された端末装置から受信するデータを制御する。この受信制御手段１２は、廃スプリングマットレス回収の申込情報ＪＨを排出者ＰＣ２から受信する申込受信手段１２ａと、回収した廃スプリングマットレスの運搬依頼情報ＪＵを回収販売店ＫＫの販売店ＰＣ３Ａ〜３Ｃから受信する運搬依頼受信手段１２ｂとを備えている。
【００４３】
送信制御手段１２は、ネットワーク５を介して接続された端末装置に送信するるデータを制御する。この送信制御手段１２は、前記排出者Ｈから廃スプリングマットレスを回収する旨の回収指示ＥＫを、前記申込情報ＪＨのうちの少なくとも一つの情報と共に、前記回収販売店ＫＫの販売店ＰＣ３Ａ〜３Ｃに送信する回収指示送信手段１２ａと、前記回収販売店ＫＫが回収した廃スプリングマットレスを該回収販売店ＫＫから前記リサイクルセンタＲＣへ運搬する旨の運搬指示ＥＵを、配送業者Ｕの配送業者ＰＣ４に送信する運搬指示送信手段１２ｂとを備えている。
【００４４】
各前記記憶手段１３〜１８には、それぞれ以下のプログラムやデータベース等が格納、記憶されている。
【００４５】
記憶手段１３には、メインプログラムが記憶されている。このメインプログラムは制御手段１０において用いられるものであり、各部の制御や、データの転送や種々の検索や演算等を行うプログラムから構成されている。
【００４６】
記憶手段１４には、申込情報管理データベースＤ１が記憶されている。この申込情報管理データベースＤ１には、前記申込情報登録手段１０ｂにより、排出者Ｈからの申込情報ＪＨが申込登録番号に関連付けて逐次登録される。この申込情報管理データベースＤ１は、その一例を図３に示すように、排出者Ｈの氏名、郵便番号、住所、電話番号、ファックス番号及びＥ−メールアドレス等のように、排出者Ｈに関する種々の情報よりなる申込情報ＪＨを登録番号に対応付けたリスト形式の申込情報テーブルにより構成することができる。なお、この申込情報ＪＨには、排出する廃スプリングマットレスの個数やサイズ等を含めるようにしてもよい。申込情報Ｈに廃スプリングマットレスの個数等を含めれば、排出者Ｈから廃スプリングマットレスを回収するための配送車両を回収販売店が選択する際などに参考にすることができる。
【００４７】
記憶手段１５には、位置データベースＤ２が記憶されている。この位置データベースＤ２は、例えば、前記申込情報ＪＨのうちの郵便番号ＰＨを位置座標コードに対応付けた郵便番号テーブルにより構築することができる。位置座標コードは、排出者Ｈの位置座標を特定するためのもので、例えば（経度、緯度）により示すことができる。このような位置データベースＤ２としては、その一例を図４に示すように、ある郵便番号１２３−４５６７が付与される地域の範囲が（Ｘ１〜Ｘ２、Ｙ１〜Ｙ２）の（経度の範囲、緯度の範囲）で特定できる場合に、最低経度Ｘ１及び最高経度Ｘ２の平均経度Ｘｍと、最低緯度Ｙ１及び最高緯度Ｙ２の平均緯度Ｙｍとで表した（Ｘｍ、Ｙｍ）を位置座標コードとし、この位置座標コード（Ｘｍ、Ｙｍ）と郵便番号ＰＨとを対応付けた対比表よりなる郵便番号テーブルにより構築することができる。
【００４８】
記憶手段１６には、販売店データベースＤ３が記憶されている。この販売店データベースＤ３は、例えば、前記販売店群Ｋを構成する各販売店Ｋａ〜Ｋｃの少なくとも名称、住所、位置座標（経度、緯度）及びＥ−メールアドレスを販売店コードに対応付けたリスト形式の販売店テーブルにより構築することができる。販売店コードは、各販売店Ｋａ、Ｋｂ、Ｋｃを識別するためのもので、文字、記号又はこれらの組み合わせにより構成することができる。例えば、各販売店Ｋａ、Ｋｂ、Ｋｃの識別コードをそれぞれＫａ、Ｋｂ、Ｋｃとすることができる。このような販売店データベースＤ３の一例を図５に示す。
【００４９】
記憶手段１７には、前記回収販売店ＫＫの運搬依頼情報ＪＵを管理する運搬依頼管理データベースＤ４が記憶されている。この運搬依頼管理データベースＤ４には、前記運搬依頼情報登録手段１０により、運搬依頼情報ＪＵが前記販売店コードに関連付けて逐次登録される。この運搬依頼情報ＪＵは、販売店の名称、依頼日及び回収した廃スプリングマットレスの個数等により構成することができる。この運搬依頼管理データベースＤ４の一例を図６に示す。
【００５０】
記憶手段１８には、生産工場Ｓから前記販売店群Ｋを構成する各販売店Ｋａ〜Ｋｃへ新品のスプリングマットレスを出荷する出荷情報ＪＳを管理する出荷管理データベースＤ５が記憶されている。この出荷管理データベースＤ５は、その一例を図７に示すように、出荷先の販売店の名称、出荷予定日及び出荷するスプリングマットレスの個数等を前記販売店コードに対応付けた出荷情報テーブルにより構築することができる。そして、この出荷管理データベースＤ５には、前記出荷情報登録手段１０ｅにより、生産工場Ｓから前記販売店群Ｋを構成する各販売店Ｋａ〜Ｋｃへ新品のスプリングマットレスを出荷する出荷情報ＪＳが逐次登録される。
【００５１】
以下、本実施の形態に係る廃スプリングマットレスの回収システムを用いた回収方法について、各ステップの処理を示す図８のフローチャートを参照して、説明する。
【００５２】
なお、以下の説明においては、廃スプリングマットレスを排出して廃棄処分しようとする排出者Ｈが排出者ＰＣ２からリサイクルセンタＲＣに設置されたマスタサーバ１に廃スプリングマットレス回収の申込を行う場合を想定する。また、位置コードは、排出者Ｈの申込情報ＪＨのうちの郵便番号ＰＨに対応する位置座標コードであって、その郵便番号ＰＨが付与される地域における経度及び緯度の範囲の平均である平均経度Ｘｍ及び平均緯度Ｙｍで表した位置座標コード（Ｘｍ、Ｙｍ）を用いる。そして、この位置座標コード（Ｘｍ、Ｙｍ）に最も近い位置座標（Ｘａ、Ｙａ）を有する販売店Ｋａが回収販売店（すなわち、排出者Ｈの最寄りの販売店）ＫＫとして選定される場合を想定し、回収販売店ＫＫとして選定された後の販売店Ｋａを回収販売店ＫＫａで示す。また、リサイクルセンタＲＣは配送業者ＵのＥ−メールアドレスを知っており、各販売店Ｋａ〜Ｋｃ及び配送業者ＵもリサイクルセンタＲＣのＥ−メールアドレスを知っているものとする。
【００５３】
まず、ステップ０１では、廃スプリングマットレスを排出しようとする排出者Ｈは、排出者ＰＣ２でブラウザソフトウエアを起動し、マスタサーバ１のトップページのＵＲＬ（Uniform Resource Locators ）にアクセスする。これにより、マスタサーバ１の制御手段１１は、排出者ＰＣ２の表示部に対し、トップページ（メインメニュー）画面を表示させ、排出者Ｈに対して所望する処理を選択するように促す。なお、このトップページ画面には、申込画面を表示させるための申込欄の他に、このリサイクルセンタＲＣのサイトについて経緯などを掲載する画面を表示させるためのサイト紹介欄、利用規約を掲載する画面を表示させるための利用規約欄、初めて利用する者や不慣れなユーザーのために利用方法（ＨＥＬＰ）を掲載する画面を表示させるための利用方法欄などが含まれる。排出者Ｈは、このトップページに表示された申込欄をマウスカーソルでクリックする等、排出者ＰＣを操作することにより、申込画面の送信をマスタサーバ１に要求する。この要求に応じてマスタサーバ１の制御手段１１は、排出者ＰＣの表示部に対し、例えば図９に示すような申込画面Ｇを表示させるように制御する。これにより、排出者ＰＣの表示部には申込画面Ｇが表示されるので、排出者Ｈは、キーボード等を使って所定の入力操作を行うことにより、この申込画面Ｇに所定の申込情報ＪＨを入力する。そして、申込画面Ｇ１にある送信欄をマウスカーソルでクリック等することにより、申込情報ＪＨをマスタサーバ１に送信する。
【００５４】
なお、排出者Ｈは、リサイクルセンタＲＣのＵＲＬや電話番号等の情報を自治体の例えば粗大ゴミ受付部等から得ることができる。
【００５５】
こうして排出者Ｈの排出者ＰＣ２からマスタサーバ１に対して申込情報ＪＨが送信されると、マスターサーバ１は以下のステップＳ１００〜Ｓ９００を順に実行する。
【００５６】
ステップＳ１００では、マスタサーバ１は、申込受信手段１１ａにより、廃スプリングマットレス回収の申込情報ＪＨを排出者Ｈの排出者ＰＣ２からインターネット５を介して受信する。
【００５７】
ステップＳ２００では、申込情報登録手段１０ａにより、廃スプリングマットレス回収の申込情報ＪＨを申込情報管理データベースＤ１に登録する。
【００５８】
ステップＳ３００では、位置コード取得手段１０ｂにより、申込情報管理データベースＤ１に登録された申込情報ＪＨのうちの郵便番号ＰＨを読み出すとともに、この郵便番号ＰＨに基づいて位置データベースＤ２を検索して、位置座標コード（Ｘｍ、Ｙｍ）を取得する。
【００５９】
ステップＳ４００では、回収販売店選出手段１０ｃにより、位置座標コード（Ｘｍ、Ｙｍ）と販売店データベースＤ３との照合により該販売店データベースＤ３に登録されている販売店群Ｋの中から排出者Ｈに最寄りの販売店Ｋａを探索し、当該販売店Ｋａを、排出者Ｈから廃スプリングマットレスを回収する回収販売店ＫＫａとして選出する。具体的には、排出者Ｈの位置座標コード（Ｘｍ、Ｙｍ）を基に販売店データベースＤ３を検索することにより、この位置座標コード（Ｘｍ、Ｙｍ）に最も近い位置座標（Ｘａ、Ｙａ）を有する販売店Ｋａを、回収販売店ＫＫａとして選出する。
【００６０】
ステップＳ５００では、回収指示送信手段１２ａにより、排出者Ｈから廃スプリングマットレスを回収する旨の回収指示ＥＫを、申込情報ＪＨのうちの少なくとも一つの情報、例えば排出者Ｈの氏名、住所及び電話番号等と共に、回収販売店ＫＫａの販売店ＰＣ３Ａにインターネット５を介してＥ−メールで送信する。なお、回収販売店ＫＫａのＥ−メールアドレスは、販売店データベースＤ３を参照して知ることができる。
【００６１】
そして、Ｓ０２では、この回収指示ＥＫを受けた回収販売店ＫＫａは、回収指示ＥＫと共に送られてきた申込情報ＪＨを基に排出者ＨにＥ−メール、電話やファックス等で連絡し、排出者Ｈと回収日時等を打ち合わせた後、排出者Ｈから廃スプリングマットレスを回収する。なお、この回収販売店ＫＫａによる回収方法は特に限定されず、例えば回収販売店ＫＫａが所有する商品配送用のトラック等を利用して廃スプリングマットレスを回収することができる。
【００６２】
そして、Ｓ０３では、回収販売店ＫＫａは、回収した廃スプリングマットレスの運搬依頼情報ＪＵを販売店ＰＣ３ＡからＥ−メールでマスタサーバ１に送信する。
【００６３】
ステップＳ６００では、運搬依頼受信手段１１ｂにより、回収した廃スプリングマットレスの運搬依頼情報ＪＵを回収販売店ＫＫａの販売店ＰＣ３Ａからインターネット５を介して受信する。
【００６４】
ステップＳ７００では、運搬依頼情報登録手段１０ｄにより、回収販売店ＫＫａからの運搬依頼情報ＪＵを販売店コードＫａに関連付けて運搬依頼管理データベースＤ４に登録する。
【００６５】
ステップＳ８００では、運搬指示決定手段１０ｆにより、運搬依頼管理データベースＤ４に登録された運搬依頼情報ＪＵのうちの少なくとも一つの情報ＪＵ１及び前記販売店コードを読み出すとともに、出荷管理データベースＤ５に登録された出荷情報ＪＳと照合することにより、新品のスプリングマットレスを生産工場Ｓから運搬依頼のあった回収販売店ＫＫａに運搬する運搬車両が廃スプリングマットレスを回収販売店ＫＫａからリサイクルセンタＲＣへ運搬することになるように、運搬指示ＥＵを決定する。具体的には、運搬依頼管理データベースＤ４に登録された回収販売店ＫＫａの運搬依頼情報ＪＵのうちから例えば依頼日を販売店コードＫａと共に読み出すとともに、これを出荷管理データベースＤ５に登録された出荷情報ＪＳの販売店コードＫａ及び出荷予定日と照合することにより、依頼日以降に該販売店ＫＫａに出荷予定日のある運搬車両が該回収販売店ＫＫａからリサイクルセンタＲＣへ廃スプリングマットレスを運搬することになるような運搬指示ＥＵを決定することができる。
【００６６】
ステップＳ９００では、運搬指示送信手段１２ｂにより、回収販売店ＫＫａが回収した廃スプリングマットレスを回収販売店ＫＫａからリサイクルセンタＲＣへ運搬する旨の運搬指示ＥＵを、配送業者Ｕの配送業者ＰＣ４にインターネット５を介してＥ−メールで送信する。
【００６７】
そして、Ｓ０４では、運搬指示ＥＵを受けた配送業者Ｕは、出荷予定日に新品のスプリングマットレスを生産工場Ｓから回収販売店ＫＫａに運搬して出荷するとともに、この運搬車両の復路を利用して、回収販売店ＫＫａからリサイクルセンタＲＣへ廃スプリングマットレスを運搬する。
【００６８】
こうして、排出者Ｈから回収販売店ＫＫａが回収した廃スプリングマットレスはリサイクルセンタＲＣへ運搬され、リサイクルセンタＲＣの生産工場Ｓで、リサイクル処理される。
【００６９】
したがって、本実施形態に係る廃スプリングマットレスの回収システム及び方法では、廃スプリングマットレスを廃棄しようとする排出者Ｈは、排出者ＰＣ２から廃スプリングマットレスのリサイクルセンタＲＣのマスタサーバ１に対して回収申込をするだけで、回収販売店ＫＫａに廃スプリングマットレスを回収してもらうことができる。また、この回収販売店ＫＫａは排出者Ｈに最寄りの販売店であるので、遠くの販売店が回収に来る場合と比較して、時間やコストの低減を図ることができる。
【００７０】
また、回収販売店ＫＫａが排出者Ｈから回収した廃スプリングマットレスは、新品のスプリングマットレスを生産工場Ｓから回収販売店ＫＫａへ出荷する運搬車両の復路を利用して、リサイクルセンタＲＣへ運搬することができる。このため、生産工場Ｓから回収販売店ＫＫａに新品のスプリングマットレスを運搬する運搬車両の荷台が復路で空になるという無駄を回避することができ、物流コストの低減に寄与しうる。
【００７１】
したがって、廃スプリングマットレスを廃棄しようとする排出者Ｈの負担を軽減することが可能となる。また、廃スプリングマットレスのリサイクル処理を生産工場Ｓで行うことができるので、リサイクル処理の効率化も期待できる。
【００７２】
なお、前述の実施形態では、排出者Ｈに最寄りの販売店（回収販売店）を選定する際に、申込情報ＪＨのうちから郵便番号ＰＨを読み出して位置座標コード（Ｘｍ、Ｙｍ）を取得する例について説明したが、位置コードの取得方法としてはこれに限定されない。例えば、申込情報ＪＨのうちから郵便番号ＰＨ及び／又は区名や町名等を読み出して位置座標コードを取得してもよい。また、排出者Ｈの最寄りの駅その他のランドマーク（学校、銀行、郵便局、市役所、警察署、消防署、神社、教会、スーパーマーケット、コンビニやガソリンスタンド等）等の項目を申込情報ＪＨに加えたり、各販売店の最寄りの駅その他のランドマーク等の項目を販売店データベースＤ３に加えたりして、これらを検索キーとして、排出者Ｈに最寄の販売店を選定してもよい。
【００７３】
また、前述の実施形態では、マスタサーバ１と、排出者ＰＣ２、販売店ＰＣ３Ａ〜３Ｃ及び配送業者ＰＣ４とをそれぞれインターネットよりなるネットワーク５を介して接続する例について説明したが、マスタサーバ１と、排出者Ｈ、販売店Ｋａ〜Ｋｃ及び配送業者Ｕのそれぞれの端末とを接続する通信手段としてはこれに限られない。例えば、マスタサーバ１と排出者Ｈの端末とを接続する通信手段、マスタサーバ１と各販売店Ｋａ〜Ｋｃのそれぞれの端末とを接続する通信手段及びマスタサーバ１と配送業者Ｕの端末とを接続する通信手段のうちの一つ又は二つを、電話機又はファックス装置を利用しうる電話回線等としてもよい。
【図面の簡単な説明】
【００７４】
【図１】本発明の実施形態の一つにおける廃スプリングマットレスの回収システムを概略的に示す図である。
【図２】本実施形態に係り、コンピュータシステムとしてのマスタサーバの構成を示すブロック図である。
【図３】本実施形態に係り、申込情報管理データベースの表示画面の一例を示す図である。
【図４】本実施形態に係り、位置データベースの表示画面の一例を示す図である。
【図５】本実施形態に係り、販売店データベースの表示画面の一例を示す図である。
【図６】本実施形態に係り、運搬依頼管理データベースの表示画面の一例を示す図である。
【図７】本実施形態に係り、出荷管理データベースの表示画面の一例を示す図である。
【図８】本実施形態における廃スプリングマットレスの回収システムの処理の流れ（回収方法）を示すフローチャートである。
【図９】本実施形態に係り、申込画面の一例を示す図である。
【符号の説明】
【００７５】
１…マスタサーバ（コンピュータシステム）
１０ａ…申込情報登録手段            １０ｂ…位置コード取得手段
１０ｃ…回収販売店選出手段          １０ｄ…運搬依頼情報登録手段
１０ｅ…出荷情報登録手段            １０ｆ…運搬指示決定手段
１１ａ…申込受信手段                １１ｂ…運搬依頼受信手段
１２ａ…回収指示送信手段            １２ｂ…運搬指示送信手段
【図１】
2005122317.tif 000003
【図２】
2005122317.tif 000004
【図３】
2005122317.tif 000005
【図４】
2005122317.tif 000006
【図５】
2005122317.tif 000007
【図６】
2005122317.tif 000008
【図７】
2005122317.tif 000009
【図８】
2005122317.tif 000010
【図９】
2005122317.tif 000011